(57)【特許請求の範囲】
【請求項１】
複数の発信装置付ガスメータからの各パルス信号を入力し、各ガスメータから入力されるパルス信号をパルスの重みを考慮して演算積算し、複数のガスメータの合計値に基づき、全日使用量を記憶する合計メモリーと、設定された夜間帯の時間の夜間使用量を記憶する夜間メモリーと、時限毎の使用量の最大値である最大使用量を記憶する最大値メモリーと、
前記複数のガスメータからのパルス信号をその重みを考慮して合計し、一定時間毎のガス使用量を最大４０日分記憶する外部メモリーと、
通信機能と、時計機能と、電源電池を備えた負荷計測器であって、
合計メモリーに記憶した前記全日使用量と、夜間メモリーに記憶した前記夜間使用量と、最大値メモリーに記憶した前記最大使用量と、外部メモリーに記憶した前記一定時間毎のガス使用量と、電池電圧低下警報情報の伝送と、前記一定時間を計測する時間の時間修正を、通信機能を使って行うことを特徴とする負荷計測器。
【請求項２】
各ガスメータ毎にパルスの重みとパルス数の積を演算し、複数のメータについて合算した値に基づいて全日使用量を求めて合計メモリーに記憶するとともに、ロードサーベイ値及び夜間使用量に反映することを特徴とする請求項１記載の負荷計測器。
【請求項３】
前記全日使用量、夜間使用量、最大使用量の計測データを選択表示する表示切替スイッチを備えたことを特徴とする請求項１又は２記載の負荷計測器。
【請求項４】
前記合計メモリーと夜間メモリーと最大値メモリーに、各ガスメータからのパルスの重みを考量して演算積算するマイクロコンピュータのメモリを使用していることを特徴とする請求項１、２又は３記載の負荷計測器。
【請求項５】
前記一定時間が１時間であることを特徴とする請求項１、２、３又は４記載の負荷計測器。
【請求項６】
最大使用量を規定する前記時限が１時間であることを特徴とする請求項１乃至５の何れか１項に記載の負荷計測器。
【発明の詳細な説明】
【０００１】
【発明の属する技術分野】
本発明はガスの使用量を計測表示する負荷計測器に関する。
【０００２】
【従来の技術】
ガスの定量使用毎にリードスイッチを開閉して流量パルス信号を出力する発信装置付ガスメータからのパルス信号をカウントしてガスの使用量をデジタル計測する負荷計測器が公知である。
【０００３】
図２に、このような負荷計測器のブロック図を示すが、図示されていないガスメータからのパルス信号は入力端子１に印加され、入力回路２で波形整形されたあと、全日使用量カウンタ３で積算カウントされて全日使用量表示部４に表示される。２２時から７時までの夜間は時刻信号発生回路５から夜間帯信号が出てゲート６を開き、パルス信号を夜間使用量カウンタ７に伝えて夜間の使用量を積算カウントし、夜間使用量表示部８に表示する。
【０００４】
９はパルス信号を積算カウントし、そのカウント値が時刻信号発生回路５からの時限毎（例えば１時間毎）のリセットパルスで零にリセットされる時限カウンタで、そのカウント値は比較回路１０によって最大使用量カウンタ１２の値と等しくなるとゲート１１を開く信号が比較回路１０からゲート１１に出力される。従って時限カウンタ９の内容が最大使用量カウンタ１２の値と同じになると、パルス信号がゲート１１を介して最大使用量カウンタ１２に印加され、次の時限パルスまでの間最大使用量カウンタ１２の値を増加させる。このようにして、最大使用量カウンタ１２は時限（例えば１時間）内の使用量の最大値をカウント記憶し、最大使用量表示部１３に表示する。
【０００５】
この負荷計測器は電源の電池を装着して、時刻表示部１４の時刻表示を現在時刻に修正し、全日使用量、夜間使用量及び最大使用量のカウンタ３，７，１２をリセット（復帰）して運用を開始し、定期的に１カ月毎に検針を行う。そして、検針時に各使用量を読み取ったあとリセット操作を行う。
【０００６】
この負荷計測器は、特開昭５８−４２９２２号に記載されているが、同公報には、リセット操作を簡便にした図３の負荷計測器も開示されている。
図３の負荷計測器は、図示されてない発信装置付ガスメータからのパルス信号を入力する入力端子１と、このパルス信号を波形整形する入力回路２と、前記入力回路２，時刻信号発生回路５及び各スイッチ１８，１９，２０，２１からの信号を入力しカウント演算制御するマイクロコンピュータ１５と、このマイクロコンピュータ１５でカウント演算された全日使用量、夜間使用量、時限毎の最大使用量及び時刻を切換表示する唯一の表示手段１６と電源電池２２とを有し、夜間使用量と最大使用量とは自動的に交互に切換表示され、表示切換押釦スイッチ２１の動作により時刻又は全日使用量を選択表示するとともに、時刻又は全日使用量を表示する状態が一定時間、例えば２分以上継続すると自動的に夜間使用量又は最大使用量の表示に切り換え、更に、時刻表示の状態でリセットスイッチ１８を押すと前記各種の使用量が零にリセットされると同時に表示が夜間使用量又は最大使用量に自動的に切り換えられる内部プログラムを備えている。
【０００７】
１７はクロック発生回路、１９，２０は時刻合わせスイッチである。
【０００８】
【発明が解決しようとする課題】
上記従来の技術では、時間毎の使用状況については、知りたい使用量を現地（即ち負荷計測器設置場所）で確認しなければならない上に、その負荷計測情報を扱う記憶容量が少ないため、集計する場合、現地での確認したデータをパソコン等に入力しなければならなかったので不便があった。
【０００９】
また、負荷計測器の時計の時間修正や、夜間（昼間）使用量を決める設定時刻の変更修正を行うには、現地で負荷計測器のスイッチを作業者が直接操作して行う必要があり、負荷計測情報を正しく取得し難いという問題点があった。
【００１０】
更に又、電池が無くなると各種使用量の計測データが消失するため、負荷計測情報を確実に取得することが難しいという問題もあった。
そこで、本発明はこれらの不便や問題点を解消して、負荷計測情報を素早く、正しく、かつ確実に得ることができる負荷計測器を提供することを目的とする。
【００１１】
【課題を解決するための手段】
前記目的を達成するために、請求項１記載の発明は、複数の発信装置付ガスメータからの各パルス信号を入力し、各ガスメータから入力されるパルス信号をパルスの重みを考慮して演算積算し、複数のガスメータの合計値に基づき、全日使用量を記憶する合計メモリーと、設定された夜間帯の時間の夜間使用量を記憶する夜間メモリーと、時限毎の使用量の最大値である最大使用量を記憶する最大値メモリーと、
前記複数のガスメータからのパルス信号をその重みを考慮して合計し、一定時間毎のガス使用量を最大４０日分記憶する外部メモリーと、
通信機能と、時計機能と、電源電池を備えた負荷計測器であって、
合計メモリーに記憶した前記全日使用量と、夜間メモリーに記憶した前記夜間使用量と、最大値メモリーに記憶した前記最大使用量と、外部メモリーに記憶した前記一定時間毎のガス使用量と、電池電圧低下警報情報の伝送と、前記一定時間を計測する時間の時間修正を、通信機能を使って行うことを特徴とする負荷計測器である。
請求項２記載の発明は、請求項１記載の負荷計測器において、各ガスメータ毎にパルスの重みとパルス数の積を演算し、複数のメータについて合算した値に基づいて全日使用量を求めて合計メモリーに記憶するとともに、ロードサーベイ値及び夜間使用量に反映することを特徴とするものである。
請求項３記載の発明は、請求項１又は２記載の負荷計測器において、前記全日使用量、夜間使用量、最大使用量の計測データを選択表示する表示切替スイッチを備えたことを特徴とするものである。
請求項４記載の発明は、請求項１、２又は３記載の負荷計測器において、前記合計メモリーと夜間メモリーと最大値メモリーに、各ガスメータからのパルスの重みを考量して演算積算するマイクロコンピュータのメモリを使用していることを特徴とするである。
請求項５記載の発明は、請求項１、２、３又は４記載の負荷計測器において、前記一定時間が１時間であることを特徴とするものである。
請求項６記載の発明は、請求項１乃至５の何れか１項に記載の負荷計測器において、最大使用量を規定する前記時限が１時間であることを特徴とするものである。
【００１２】
【発明の実施の形態】
次に本発明の好ましい実施の形態を図１に従って説明する。
図示されてない３台の発信装置付ガスメータからの各パルス信号は、夫々入力端子１Ａ，１Ｂ，１Ｃに入力され、直接又は図示されてない波形整形用入力回路を介してマイクロコンピュータ１５Ａに入力される。
【００１３】
各ガスメータから入力される各チャンネルのパルス信号は、パルスの重みを考慮してマイクロコンピュータ１５Ａで演算積算し、各チャンネル毎に夫々第１のメモリー（メモリー１），第２のメモリー（メモリー２），第３のメモリー（メモリー３）に記憶する。合計メモリーには、メモリー１，メモリー２及びメモリー３の内容の合計値を記憶し、全日使用量として使用する。
【００１４】
夜間メモリーには設定された夜間帯の時間、例えば２２時から７時までの間の夜間使用量を記憶する。最大値メモリーには、時限毎（例えば１時間毎）の使用量の最大値である最大使用量を記憶する。
【００１５】
２４個メモリーには、３台のガスメータからのパルス信号をその重みを考慮して合計し、かつ設定した取得時間（例えば１時間）毎の値を２４個まで記憶する。４０日メモリーには、１時間毎に１回を４０日分記憶する。
【００１６】
なお、各ガスメータからのパルスをカウント積算するに当り、パルスの重みを考慮する。例えば、０．１Ｌ／Ｐ，１Ｌ／Ｐ，１０Ｌ／Ｐの重みのパルスが各１００パルス入力された場合、０．１×１００＋１×１００＋１０×１００＝１１１０Ｌが全日使用量として記憶されると同時に、ロードサーベイ値及び夜間（昼間）使用量及び最大使用量等に反映される。
【００１７】
各使用量の計測データは上述のようにメモリーに記憶され、表示切換スイッチ２８を操作することで、全日使用量、夜間使用量、昼間使用量等の各使用目的に合わせた表示の選択が容易にできる。
【００１８】
なお、上記メモリー１，メモリー２，メモリー３，合計メモリー，夜間メモリー，最大値メモリー，２４個メモリーはマイコンメモリーで、４０日メモリーは外部メモリー３３を使用している。
【００１９】
出力端子３０には、負荷計測器から図示されてない検針センター等へ伝送される出力パルスが出力される。
マイクロコンピュータ１５Ａは通信インターフェース３１を介して通信端子３２に接続され、通信端子３２は図示されてない検針センター等と適宜の通信回線（例えば電話回線）を介して接続される。
【００２０】
マイクロコンピュータ１５Ａは、２４個メモリー又は４０日メモリーが満杯になった時に負荷計測器から検針センター等に通報する機能を有し、検針センター等で確認できる。また、検針センター等からの要求通信により確認することもできる。
【００２１】
電池２２の電圧が一定以下に低下したことを検出して警報する電池電圧低下警報機能を有して、電圧が低下すると、電池電圧低下の表示を液晶表示器２９に表示して警報し、通信により検針センター等へ通報する機能をマイクロコンピュータ１５Ａに備えている。こうすることで、電池電圧低下による本来の機能を消失する前に電池を新しいものに交換できるため、この面からも負荷計測情報が確実に得られる。
【００２２】
マイクロコンピュータ１５Ａ内には時計機能を有し、この時計機能により、ガス使用量積算値の管理を行っているので、ロードサーベイ値，夜間（昼間）使用量，最大使用量のように、設定に合わせた時間内の積算値の管理が容易にできる。これらの積算値は通信機能を使って検針センター等で確認できるようになったため、負荷計測情報が素早く得られるようになった。
【００２３】
また、通信機能でマイクロコンピュータ１５Ａ内の情報を設定または確認でき、内蔵する時計機能の時間（時刻）の修正が容易にできるため、時計の誤差をなくすことができ、この面からも負荷計測情報が正しく得られる。そして、ロードサーベイ機能、夜間（昼間）の時間設定も遠隔で操作できるようになった。
【００２４】
【発明の効果】
本発明の負荷計測器は上述のように構成されているので、負荷計測器で計測したガス使用量を通信機能を使って検針センター等から検針したり、また、時計の時間修正や夜間使用量を決める時刻の設定変更等も検針センター等からでき、更に時間毎に外部メモリーに記憶されたガス使用量計測値の伝送、電池電圧低下警報情報の伝送ができるため、負荷計測情報が素早く、正しく、確実に得られるようになった。
【図面の簡単な説明】
【図１】本発明の実施例のブロック図である。
【図２】従来技術のブロック図である。
【図３】他の従来技術のブロック図である。
【符号の説明】
１Ａ，１Ｂ，１Ｃ    ガスメータからのパルス信号の入力端子
１５Ａ              マイクロコンピュータ
２２                電池
２９                液晶表示器
３１                通信インターフェース
３２                通信端子
３３                外部メモリー
【図１】
0004097375.tif 000002
【図２】
0004097375.tif 000003
【図３】
0004097375.tif 000004